(57)【要約】【課題】多くの人が常に携帯している折畳み式携帯電話機にベルトカッター機能を併せ持たせ、自動車事故等の緊急時にシートベルトを切断する。【解決手段】折畳み式携帯電話機１０は第１筐体１と第２筐体２がヒンジ機構３により折畳み開閉自在に結合される。ヒンジ機構３の要素である第２ヒンジ部３ｂは、第２筐体２の一端から外方へ突出したのち半円弧状に表示器５方向へ折り返される形状で、半円弧状の内側中央にベルトカッター機能としての切断刃７が装着される。自動車事故等の緊急時、使用者が携帯している折畳み式携帯電話機１０の第１筐体１と第２筐体２の間にシートベルトを挟み込み、折畳んで閉じた状態にすると第２ヒンジ部３ｂが回動し、切断刃７がシートベルトの方へ向く。ここで使用者が折畳み式携帯電話機１０を引っ張ることにより、シートベルトが切断刃７に当接して切断される。【選択図】      図１
2005086649.tif 000002
【特許請求の範囲】
【請求項１】
互いに開閉自在に折畳まれる第１筐体と第２筐体を有し、緊急時に前記第１筐体と前記第２筐体の間にシートベルトを挟み込んでこれを切断できるベルトカッターを備えることを特徴とする緊急時機能付き折畳み式携帯電話機。
【請求項２】
前記ベルトカッターの切断刃が前記第１筐体と前記第２筐体を折畳み自在とするヒンジ部に設けられることを特徴とする請求項１記載の緊急時機能付き折畳み式携帯電話機。
【請求項３】
前記切断刃は、折畳み時には回動する前記ヒンジ部とともに前記第１筐体と前記第２筐体の間に切断可能状態に突出し、開時には前記ヒンジ部の反対方向への回動により人体への損傷を与えない位置に退避することを特徴とする請求項２記載の緊急時機能付き折畳み式携帯電話機。
【請求項４】
前記切断刃は前記ヒンジ部とともに回動する刃装着部に設けられ、折畳み時には一方の前記第１筐体の凹部から切断可能状態に突出し、開時には他方の前記第２筐体の凹部内に埋没することを特徴とする請求項２記載の緊急時機能付き折畳み式携帯電話機。
【請求項５】
前記第１筐体及び前記第２筐体のいずれか一方の筐体の外面に指掛け凸部を有することを特徴とする請求項１ないし４のいずれかに記載の緊急時機能付き折畳み式携帯電話機。
【請求項６】
前記第１筐体及び前記第２筐体の両方の筐体の外面に指掛け凸部を有することを特徴とする請求項１ないし４のいずれかに記載の緊急時機能付き折畳み式携帯電話機。
【発明の詳細な説明】
【技術分野】
【０００１】
本発明は折畳み式携帯電話機に係わり、特に自動車事故等において車室内に閉じこめられた乗員等がシートベルトを切断できるベルトカッターを備えた緊急時機能付き折畳み式携帯電話機に関する。
【背景技術】
【０００２】
従来、一般的な折畳み式携帯電話機は、図６に示すような概略構成となっている。即ち、折畳み式携帯電話機３０は２つの第１筐体３１及び第２筐体３２がヒンジ機構３３により機械的に結合され、折畳み型構造を形成している。第２筐体３２には表示器３５とアンテナ３６が、また第１筐体３１には各種の機能ボタンスイッチ３４が装着されている。そして通常、折畳み式携帯電話機３０にはベルトカッターは備わっていない。ベルトカッターは自動車などに備えておく緊急用ツールであり、事故等の非常時にシートベルトが外れないときに鋭いカッターでシートベルトを切り離し、車室内に閉じこめられた乗員等の脱出、救出をするために使用するものである。従って通常は携帯電話機３０とは別に入手しなければならない。
【０００３】
一方、ベルトカッターの一例として、次の特許文献１に示すものがある。
【０００４】
【特許文献１】特開平９−８５６４６号公報（第５−７頁、図７−９）  特許文献１に開示されたベルトカッターは、図７（ａ）に示すように、緊急脱出用刃付ハンマ５０に装備されている。緊急脱出用刃付ハンマ５０は、自動車のシートベルトを切断するためのカッター部５１と、開かなくなったドアの窓ガラスを破壊するためのハンマ部５５とを共有する。ハンマ部５５は軸５６を支点に回動でき、非使用時には握り柄５４内に収納されている。握り柄５４の他端には切断刃５２を有するカッター部５１があり、カッター部５１の挿入空間５３に挿入したシートベルトを切断刃５２により切断できるようになっている。
【０００５】
この緊急脱出用刃付ハンマ５０の使用状況は、図７（ｂ）に示すようであり、
緊急脱出用刃付ハンマ５０のカッター部５１の挿入空間５３にシートベルト６０を挿入し、手で握り柄５４を引くことにより、切断刃５２によりシートベルト６０が切断される。
【発明の開示】
【発明が解決しようとする課題】
【０００６】
近時、折畳み式携帯電話機の普及は顕著であり、多くの人が所持し常に携帯している。しかし上述したように、通常、折畳み式携帯電話機にはベルトカッターは備わっていない。
【０００７】
一方、上記の特許文献１に開示されたようなベルトカッターは、通常自動車などに備えておくべき緊急用ツールでありながら、備えている人はあまりなく、さらに搭乗人数分用意していることは稀であるという問題がある。その理由は、使用場面が特定の場合に限られ、また、常に最大搭乗人数分用意することは経済的に負担がかかり、保管場所も確保しなければならないからである。
【０００８】
このように、数多く普及しながらベルトカッターを備えていない折畳み式携帯電話機の問題点と、備えるべき緊急用ツールでありながら十分な普及がなされていないベルトカッターの問題点とを、相互に補完し合う必要がある。
【０００９】
本発明の目的は、上記従来の問題点を解消し、多くの人が常に携帯している折畳み式携帯電話機にベルトカッター機能を併せ持たせた緊急時機能付き折畳み式携帯電話機を提供することにある。
【課題を解決するための手段】
【００１０】
本発明の緊急時機能付き折畳み式携帯電話機は、互いに開閉自在に折畳まれる第１筐体と第２筐体を有し、緊急時に前記第１筐体と前記第２筐体の間にシートベルトを挟み込んでこれを切断できるベルトカッターを備えている。
【００１１】
この緊急時機能付き折畳み式携帯電話機において、前記ベルトカッターの切断刃が前記第１筐体と前記第２筐体を折畳み自在とするヒンジ部に設けられることが好ましい。
【００１２】
また前記切断刃は、折畳み時には回動する前記ヒンジ部とともに前記第１筐体と前記第２筐体の間に切断可能状態に突出し、開時には前記ヒンジ部の反対方向への回動により人体への損傷を与えない位置に退避することが好ましい。
【００１３】
もしくは前記切断刃は前記ヒンジ部とともに回動する刃装着部に設けられ、折畳み時には一方の前記第１筐体の凹部から切断可能状態に突出し、開時には他方の前記第２筐体の凹部内に埋没するようにしてもよい。
【００１４】
さらに、前記第１筐体及び前記第２筐体のいずれか一方もしくは両方の筐体の外面に指掛け凸部を有するようにしてもよい。
【００１５】
このような本発明によれば、自動車事故等の緊急時において、折畳み式携帯電話機の互いに開閉自在な第１筐体と第２筐体の間にシートベルトを挟み込んでこれを切断することができる。
【発明の効果】
【００１６】
第１の効果は、本発明の緊急時機能付き折畳み式携帯電話機を携帯することにより、自動車事故等において車室内に閉じこめられた緊急時でも、シートベルトを切断して脱出できることである。
【００１７】
その理由は、常に携帯している折畳み式携帯電話機にベルトカッター機能を備えているからである。
【００１８】
第２の効果は、従来の折畳み式携帯電話機及び従来のベルトカッターのそれぞれの欠点を解消できることである。
【００１９】
その理由は、数多く普及しながらベルトカッター機能を備えていない折畳み式携帯電話機の問題点と、備えるべき緊急用ツールでありながら十分な普及がなされていないベルトカッターの問題点とを、相互に補完し合うことができるからである。
【００２０】
第３の効果は、ベルトカッターを自動車内に最大搭乗人数分常備しておくための経済的負担及び保管場所を削減できることである。
【００２１】
その理由は、ベルトカッター機能を備えた折畳み式携帯電話機は、個々の搭乗者が胸ポケット等にしまって携帯し自動車に乗り込めるからである。
【発明を実施するための最良の形態】
【００２２】
次に、本発明について図面を参照して説明する。
【００２３】
図１は本発明の折畳み式携帯電話機の第１の実施の形態を示す分解斜視図、図２は第１の実施の形態の使用時の状況を示す要部断面図である。
【００２４】
図１に示すように、第１の実施の形態の折畳み式携帯電話機１０は、２つの第１筐体１及び第２筐体２がヒンジ機構３により折畳み開閉自在に結合され形成されている。第１筐体１には各種の機能ボタンスイッチ４が装着されるとともに一端側の両サイドにヒンジ機構３の要素である２つの第１ヒンジ部３ａが設けられる。第２筐体２には表示器５とアンテナ６が装着されるとともに一端側の中央に
ヒンジ機構３の要素である第２ヒンジ部３ｂが設けられる。
【００２５】
第２ヒンジ部３ｂは、第２筐体２の一端から外方へ突出したのち半円弧状に表示器５方向へ折り返される形状をなし、半円弧状の内側中央に切断刃７が装着される。
【００２６】
このような第１筐体１と第２筐体２が、図１の一点鎖線Ｂに沿い組合わされ、
２つの第１ヒンジ部３ａの間に第２ヒンジ部３ｂが嵌合してヒンジ機構３を形成し第１筐体１と第２筐体２が開閉自在に結合される。折畳み式携帯電話機１０の
通常の使用時、即ち第１筐体１と第２筐体２が開いた状態では図１に示す一点鎖線Ｂに沿い両筐体が嵌合したとほぼ同様の状態であり、この場合には切断刃７は
第２ヒンジ部３ｂの半円弧状の内側に覆い隠されて退避した形となり、機能ボタンスイッチ４等を操作する指等に損傷を与える恐れがないようになっている。
【００２７】
次に、自動車事故等の緊急事態が発生した場合の第１の実施の形態の使用時の状況について、図２を参照して説明する。
【００２８】
緊急時、使用者が携帯している折畳み式携帯電話機１０の第１筐体１と第２筐体２の間に自動車のシートベルト６０を挟み込み、折畳んで閉じた状態にする。図２に示すように、第２筐体２と一緒に第２ヒンジ部３ｂが回動し、切断刃７が第１筐体１と第２筐体２の間において挟んだシートベルト６０の方へ向く。ここで使用者が折畳み式携帯電話機１０を矢印Ａの方向へ引くことにより、シートベルト６０が切断刃７に当接して切断される。
【００２９】
次に、本発明の第２の実施の形態について説明する。図３は本発明の折畳み式携帯電話機の第２の実施の形態を示す斜視図、図４は第２の実施の形態の使用時の状況を示す要部断面図である。
【００３０】
図３に示すように、第２の実施の形態の折畳み式携帯電話機２０は、２つの第１筐体１１及び第２筐体１２がヒンジ機構１３により折畳み開閉自在に結合され形成されている。第１筐体１１には各種の機能ボタンスイッチ１４が装着されるとともにヒンジ機構１３と機能ボタンスイッチ１４との間に凹部１１ａが設けられる。第２筐体１２には表示器１５とアンテナ１６が装着されるとともにヒンジ機構１３と表示器１５との間に凹部１２ａが設けられる。
【００３１】
ヒンジ機構１３には刃装着部１８が取り付けられ、ヒンジ機構１３と一緒に回動するようになっている。刃装着部１８の先端部には切断刃１７が装着される。
刃装着部１８の一端面は開時には第２筐体１２の凹部１２ａ内に収納される形となり、折畳み時（閉時）には刃装着部１８の他端面が第１筐体１１の凹部１１ａ
内に収納される形となる。切断刃１７は折畳み時に凹部１１ａ側に僅かに突出するように、刃装着部１８に装着される。
【００３２】
折畳み式携帯電話機２０の通常の使用時、即ち第１筐体１１と第２筐体１２が開いた状態では、図３に示すように、切断刃１７は第２筐体１２の凹部１２ａ内に収納され埋没することとなり、機能ボタンスイッチ１４等を操作する指等に損傷を与える恐れがないようになっている。
【００３３】
次に、自動車事故等の緊急事態が発生した場合の第２の実施の形態の使用時の状況について、図４を参照して説明する。
【００３４】
緊急時、使用者が携帯している折畳み式携帯電話機２０の第１筐体１１と第２筐体１２の間に自動車のシートベルト６０を挟み込み、折畳んで閉じた状態にする。図４に示すように、第２筐体１２及びヒンジ機構１３と一緒に刃装着部１８が回動し、切断刃１７が凹部１１ａ側に僅かに突出する。この状態で切断刃１７が第１筐体１１と第２筐体１２の間において挟んだシートベルト６０の方へ向く
。ここで使用者が折畳み式携帯電話機２０を矢印Ａの方向へ引くことにより、シートベルト６０が切断刃１７に当接して切断される。
【００３５】
次に、本発明の第３及び第４の実施の形態について説明する。図５（ａ）は本発明の折畳み式携帯電話機の第３の実施の形態を示す側面図、図５（ｂ）は本発明の折畳み式携帯電話機の第４の実施の形態を示す側面図である。ここでは例として、上述した折畳み式携帯電話機２０に第３及び第４の実施の形態を適用する場合について説明する。
【００３６】
第３の実施の形態は図５（ａ）に示すように、折畳み式携帯電話機２０の一方の筐体の外面に指掛け凸部２１を有するものである。即ち、折畳み式携帯電話機２０の筐体のうちの一方の第２筐体１２のヒンジ機構１３と反対側の外面に指掛け凸部２１を突出させて設ける。
【００３７】
このような第３の実施の形態によれば、折畳み式携帯電話機２０の第１筐体１１と第２筐体１２の間に自動車のシートベルト６０を挟み込み、折畳んで閉じた状態にし、指掛け凸部２１に指を掛けて矢印Ａの方向へ引くことにより、安定した強い力でシートベルト６０の切断を行うことができる。
【００３８】
第４の実施の形態は図５（ｂ）に示すように、折畳み式携帯電話機２０の両方の筐体の外面に指掛け凸部２１、２２を有するものである。即ち、折畳み式携帯電話機２０の筐体のうち一方の第２筐体１２のヒンジ機構１３と反対側の外面に指掛け凸部２１を突出させて設け、また他方の第１筐体１１のヒンジ機構１３と反対側の外面にも指掛け凸部２２を突出させて設ける。
【００３９】
このような第４の実施の形態によれば、折畳み式携帯電話機２０の第１筐体１１と第２筐体１２の間に自動車のシートベルト６０を挟み込み、折畳んで閉じた状態にし、指掛け凸部２１、２２の両方に指を掛けて矢印Ａの方向へ引くことにより、さらに安定した強い力でシートベルト６０の切断を行うことができる。
【図面の簡単な説明】
【００４０】
【図１】本発明の緊急時機能付き折畳み式携帯電話機の第１の実施の形態を示す分解斜視図である。
【図２】第１の実施の形態の使用時の状況を示す要部断面図である。
【図３】本発明の緊急時機能付き折畳み式携帯電話機の第２の実施の形態を示す斜視図である。
【図４】第２の実施の形態の使用時の状況を示す要部断面図である。
【図５】（ａ）は本発明の緊急時機能付き折畳み式携帯電話機の第３の実施の形態を示す側面図、（ｂ）は本発明の緊急時機能付き折畳み式携帯電話機の第４の実施の形態を示す側面図である。
【図６】一般的な折畳み式携帯電話機の概略構成を示す斜視図である。
【図７】従来のベルトカッターを示す（ａ）は正面図、（ｂ）はその使用状況を示す斜視図である。
【符号の説明】
【００４１】
１、１１、３１    第１筐体
２、１２、３２    第２筐体
３、１３、３３    ヒンジ機構
３ａ    第１ヒンジ部
３ｂ    第２ヒンジ部
４、１４、３４    機能ボタンスイッチ
５、１５、３５    表示器
６、１６、３６    アンテナ
７、１７、５２    切断刃
１０、２０、３０    折畳み式携帯電話機
１１ａ、１２ａ    凹部
１８    刃装着部
２１、２２    指掛け凸部
５０    緊急脱出用刃付ハンマ
５１    カッター部
５３    挿入空間
５４    握り柄
５５    ハンマ部
５６    軸
６０    シートベルト
【図１】
2005086649.tif 000003
【図２】
2005086649.tif 000004
【図３】
2005086649.tif 000005
【図４】
2005086649.tif 000006
【図５】
2005086649.tif 000007
【図６】
2005086649.tif 000008
【図７】
2005086649.tif 000009